(57)【要約】      （修正有）【課題】冷却効率を向上させ、また除霜効率の向上を図り、消費電力量の低減を図ることが可能な自動販売機を提供する。【解決手段】冷却器２９の空気取り込み側には除霜するときに加熱するための除霜用ヒーター１８を冷却器２９と所定寸法離した位置に配設してあり、冷却器２９で冷却された冷気の排出側には冷気の商品コラム６側への通路となる冷気ダクト１５が配設され、冷気ダクト１５にはダクトの開口を開閉制御する開口開閉シャッタ１６を設けている。冷却器２９を除霜するときには、前記ダクト１５の前記商品コラム側開口１６を閉鎖する。【選択図】図１
2009300036.tif 000002
【特許請求の範囲】
【請求項１】
冷媒を圧縮して高温高圧にする圧縮機と、前記圧縮機で圧縮されて高温高圧になった冷媒を外気と熱交換させて放熱させる放熱器と、前記放熱器で放熱させた冷媒を蒸発させて発生する蒸発潜熱を空気と熱交換させて冷気とする冷却器とを冷媒管路で接続して構成する冷却装置と、前記空気を前記冷却器を通過するように吸引する空気吸引手段と、を備え、前記空気吸引手段が吸引した前記冷気をダクトを通過させて商品収容庫内に循環させ、商品コラムに収容している商品を冷却する自動販売機において、
前記ダクトの開口を開閉制御する開口開閉手段を設け、前記冷却器を除霜するときには、前記ダクトの前記商品コラム側開口を閉鎖することを特徴とする自動販売機。
【請求項２】
前記冷却器を除霜するための除霜用ヒーターを、前記冷却器の空気取り込み側の所定寸法離した位置に設けたことを特徴とする請求項１に記載の自動販売機。
【請求項３】
前記冷媒が二酸化炭素であることを特徴とする請求項１または請求項２に記載の自動販売機。
【発明の詳細な説明】
【技術分野】
【０００１】
本発明は、アイスクリームなどの冷凍商品を収容して販売する自動販売機の冷却に関するものである。
【背景技術】
【０００２】
図６は、冷凍商品を収容して販売する自動販売機の断面側面図である。アイスクリームなどの冷凍商品を収容して販売する自動販売機５０は、前面を開口する販売機本体２と、その前面開口を開閉するメインドア３を備えている。販売機本体２内には、周壁を断熱材４ａで構成した商品収容庫４が画成されており、その前面開口は断熱扉５によって開閉される。この断熱扉５は、冷凍商品の補充時などに開閉されるもので、販売機本体２端部に回動自在に取り付けられている。
商品収容庫４庫内には、冷凍商品を収容するための複数の商品コラム６が、前後方向および左右方向に複数列配設されている。各商品コラム６は、縦長の箱形状のもので、その内部には、冷凍商品を収容するスパイラル７が設けられている。このスパイラル７は、駆動モータ８により回転するシャフト９に固定されており、冷凍商品の販売時、駆動モータ８でシャフト９を１８０度回転させることにより、最下位の冷凍商品を落下させ、商品コラム６から搬出するようにしている。各商品コラム６の前面には、冷凍商品をスパイラル７に補充する際に開閉されるコラムドア１０が設けられている。また、商品コラム６の下方にはシュート１１が設けられており、商品コラム６から搬出された冷凍商品は、シュート１１を滑り落ちて断熱扉５の下方に設けた販売ドア１２から商品取出口１３に導かれる。
【０００３】
また、圧縮機２１、ガスクーラ（放熱器）２４、電子膨張弁２７やキャピラリチューブ２８などの膨張機構、冷却器（蒸発器）２９、および、これらを接続する冷媒管路３２で構成される冷凍サイクルから成る冷却装置６０（詳細は図７を参照）が設けられている。冷却器２９は、冷却器ファン３４およびこれを駆動する駆動モータ３４ａとともに、商品収納庫４庫内に設けられているシュート１１の下方に配設されており、冷却器２９を通流する冷媒（二酸化炭素）が蒸発するときに発生する蒸発潜熱（気化熱）との熱交換により、冷却器ファン３４の回転により吸引した空気を冷却器２９のフィン間を通過させて冷却する。そして、この冷却された空気（冷気）を冷却器ファン３４で強制的に冷気ダクト１９から商品コラム６側へと送り出し、商品コラム６に収容されている冷凍商品を冷却した冷気はシュート１１に設けている通風穴（図示せず）を通って冷却器２９へと循環することによって商品収容庫４庫内が冷却され、冷凍商品を保存温度（−１８℃以下）に冷やすことができる。
さらに、販売機本体２の底部（商品収容庫４の下方）の機械室１４には、ガスクーラ２４、その後方に放熱ファン３３、その駆動モータ３３ａおよび圧縮機２１が順に配設されている。そして圧縮機２１で圧縮された高温高圧の冷媒は、ガスクーラ２４を通流すると、放熱ファン３３の回転により取り込まれた外気と、ガスクーラ２４のフィン間を通るときに熱交換して低温高圧になる。また、冷媒と熱交換して高温となった空気（排熱）は、放熱ファン３３により自動販売機５０後方に向かって強制的に送られて外部に排出される（例えば、特許文献１参照）。
【０００４】
図７は、自動販売機５０に設けている冷却装置６０の回路図である。冷却装置６０は、圧縮機２１、中間熱交換器２２、オイルセパレータ（油分離装置）６１、放熱コイル６２、キャピラリチューブ６３、オイル戻り管路６４、蒸発パイプ２３、ガスクーラ２４、内部熱交換器２５、ストレーナ２６、電子膨張弁２７、キャピラリチューブ２８、冷却器２９、逆止弁３０、ストレーナ３１、およびこれらを接続する冷媒管路３２、放熱ファン３３、駆動モータ３３ａ、冷却器ファン３４、駆動モータ３４ａにより構成され、冷媒およびオイルを矢印方向に循環させて冷却を行うものである。
このように冷却装置６０は、低温低圧のガス冷媒を圧縮して高温高圧のガス冷媒とする圧縮機２１、高温高圧のガス冷媒を外気と熱交換させて放熱させるガスクーラ２４、圧縮機２１およびガスクーラ２４が配設されている機械室１４に外気を取り込んで放熱させる放熱ファン３３、ガスクーラ２４で放熱させた低温高圧の冷媒を膨張させて低温低圧の冷媒とする電子膨張弁２７やキャピラリチューブ２８などの膨張機構、冷媒を蒸発させたときに発生する蒸発潜熱で商品収容庫４庫内の空気を冷却して冷気とする冷却器２９、およびこれらを接続して冷媒が循環する冷媒管路３２などで構成され、冷媒管路３２には圧縮機２１を潤滑するオイル（潤滑油）が冷媒とともに循環している。
【０００５】
この圧縮機２１を潤滑するオイルは冷媒に溶け込んで冷媒管路３２を循環するもの、冷媒に溶け込みきれないが冷媒の圧力差により冷媒管路３２を循環するもの、循環しきれずに内部熱交換器２５や冷却器２９に残ってしまうものがある。この内部熱交換器２５や冷却器２９に残って圧縮機２１に戻らないオイルが多いと、圧縮機２１の焼きつきによる故障や、ピストンの抵抗増大により運転効率が悪化するなどの不具合が生じる。また、周囲温度が低くなると、冷媒に溶け込むオイルの量が減少し、内部熱交換器２５、冷却器２９や冷媒管路３２などにオイルが残りやすくなる。
内部熱交換器２５、冷却器２９や冷媒管路３２などのオイル残りを防ぐためには、圧縮機２１とガスクーラ２４との間にオイルセパレータ（油分離装置）６１を設けて、圧縮機２１から吐出した高温高圧の冷媒とオイルとを分離し、この分離したオイルを圧縮機２１に戻すようにしている（例えば、特許文献２参照）。
また、特に冷凍商品用の自動販売機では、除霜時に、商品収容庫４に収容している冷凍商品の温度上昇を防止するために、商品収容庫４庫内に設けている冷却器ファン３４の回転を停止させ、冷却器２９に直接接触させて配設してある除霜用ヒーター１８で加熱して冷却器２９を除霜するようにしているものもある。
【特許文献１】特開平１１−２９６７３４号公報
【特許文献２】特開２００６−２６６６１８号公報
【発明の開示】
【発明が解決しようとする課題】
【０００６】
このように、圧縮機２１から吐出した高温高圧の冷媒と、冷媒に溶け込んだオイルがオイルセパレータ６１に入り、高温高圧の冷媒とオイルが分離され、高温高圧冷媒はガスクーラ２４へ送られ、オイルは圧縮機２１へと戻されるが、二酸化炭素を冷媒とした冷却装置６０では冷却効率を向上させるために、圧縮機２１は、冷媒を２回に分けて圧縮する２段式圧縮機が使用されており、オイルは一段目圧縮機２１ａと二段目圧縮機２１ｂの中間に戻される。
しかしながら、圧縮機２１へ戻るオイルは、圧縮機２１冷媒出口側（高圧側）から吐出した高圧の冷媒状態で、この高圧の冷媒が一段目圧縮機２１ａと二段目圧縮機２１ｂの中間に戻されると、一段目圧縮機２１ａと二段目圧縮機２１ｂの間の中間圧を上昇させ、冷却効率の悪化を招いてしまうこととなる。また、オイルセパレータ６１から圧縮機２１へはオイルのみではなく、高温高圧の冷媒も戻っているため、ガスクーラ２４へと流れる冷媒量が減少し、さらに冷却能力の低下をも招いてしまう。また、オイルセパレータ６１、放熱コイル６２、キャピラリチューブ６３およびオイル戻り管路６４の部品コスト、組立工数増によるコストアップ要因ともなる。
一方、冷却器２９を除霜用ヒーター１８で直接加熱する方法は、冷却器ファン３４の回転を停止させて除霜用ヒーター１８を冷却器２９に直接接触させて熱伝導により霜を融解させているので、完全に除霜するまでの時間が、冷却器ファン３４で気流を冷却器２９全体に当てる熱伝導による除霜に比べて長くかかる。また、除霜時間（冷却装置６０の停止時間）が長くかかると商品収容庫４庫内温度が上昇するという問題も生じる。
【０００７】
本発明は、上記実情に鑑みて、オイルセパレータを用いなくともオイルを圧縮機に良好に戻し、冷却効率を向上させ、また除霜効率の向上を図り、消費電力量の低減を図ることが可能な自動販売機を提供することを目的とする。
【課題を解決するための手段】
【０００８】
上記目的を達成するために、本発明の請求項１に係る自動販売機は、冷媒を圧縮して高温高圧にする圧縮機と、前記圧縮機で圧縮されて高温高圧になった冷媒を外気と熱交換させて放熱させる放熱器と、前記放熱器で放熱させた冷媒を蒸発させて発生する蒸発潜熱を空気と熱交換させて冷気とする冷却器とを冷媒管路で接続して構成する冷却装置と、前記空気を前記冷却器を通過するように吸引する空気吸引手段と、を備え、前記空気吸引手段が吸引した前記冷気をダクトを通過させて商品収容庫内に循環させ、商品コラムに収容している商品を冷却する自動販売機において、
前記ダクトの開口を開閉制御する開口開閉手段を設け、前記冷却器を除霜するときには、前記ダクトの前記商品コラム側開口を閉鎖することを特徴とする。
また、本発明の請求項２に係る自動販売機は、上記請求項１において、前記冷却器を除霜するための除霜用ヒーターを、前記冷却器の空気取り込み側の所定寸法離した位置に設けたことを特徴とする。
また、本発明の請求項３に係る自動販売機は、上記請求項１または請求項２において、前記冷媒が二酸化炭素であることを特徴とする。
【発明の効果】
【０００９】
請求項１の発明によれば、冷媒を圧縮して高温高圧にする圧縮機と、圧縮機で圧縮されて高温高圧になった冷媒を外気と熱交換させて放熱させる放熱器と、放熱器で放熱させた冷媒を蒸発させて発生する蒸発潜熱を空気と熱交換させて冷気とする冷却器とを冷媒管路で接続して構成する冷却装置と、空気を冷却器を通過するように吸引する空気吸引手段と、を備え、空気吸引手段が吸引した冷気をダクトを通過させて商品収容庫内に循環させ、商品コラムに収容している商品を冷却する自動販売機において、ダクトの開口を開閉制御する開口開閉手段を設け、冷却器を除霜するときには、ダクトの商品コラム側開口を閉鎖することにより、オイルセパレータを用いなくともオイルを圧縮機に良好に戻し、冷却効率を向上させ、また除霜効率の向上を図り、消費電力量の低減を図ることが可能な自動販売機を提供することが可能となる。
また、請求項２の発明によれば、冷却器を除霜するための除霜用ヒーターを、冷却器の空気取り込み側の所定寸法離した位置に設けたことにより、冷却器の除霜時には除霜用ヒーターで加熱することにより冷却器の冷媒蒸発温度が高くなり、冷却器から吐出する冷媒温度が高くなる。この温度が高くなった冷媒が冷媒管路内を通流することにより冷媒のオイル溶け込み量が増大し、冷却器などに残ったオイルが圧縮機に戻り、冷却効率を低下させずに冷却運転が可能となる。
【００１０】
また、請求項３の発明によれば、冷媒として二酸化炭素を用いることにより、環境負荷が小さく、安全である。
【発明を実施するための最良の形態】
【００１１】
以下に添付図面を参照して、本発明に係る自動販売機の好適な実施の形態を詳細に説明する。なお、この実施の形態によりこの発明が限定されるものではない。また、従来と同一構成に関しては同一符号を用いる。
（実施の形態１）
図１は、本発明に係る自動販売機の実施の形態１を示す断面側面図である。アイスクリームなどの冷凍商品を収容して販売する自動販売機１は、前面を開口する販売機本体２と、その前面開口を開閉するメインドア３を備えている。販売機本体２内には、周壁を断熱材４ａで構成した商品収容庫４が画成されており、その前面開口は断熱扉５によって開閉される。この断熱扉５は、冷凍商品の補充時などに開閉されるもので、販売機本体２端部に回動自在に取り付けられている。
商品収容庫４庫内には、冷凍商品を収容するための複数の商品コラム６が前後方向および左右方向に複数列配設されている。各商品コラム６は、縦長の箱形状のもので、その内部には冷凍商品を収容するスパイラル７が設けられている。このスパイラル７は、駆動モータ８により回転するシャフト９に固定されており、冷凍商品の販売時、駆動モータ８でシャフト９を１８０度回転させることにより、最下位の冷凍商品を落下させ、商品コラム６から搬出するようにしている。各商品コラム６の前面には、冷凍商品をスパイラル７に補充する際に開閉されるコラムドア１０が設けられている。また、商品コラム６の下方にはシュート１１が設けられ、商品コラム６から搬出された冷凍商品は、シュート１１を滑り落ちて断熱扉５の下方に設けた販売ドア１２から商品取出口１３に導かれる。
【００１２】
また、圧縮機２１、ガスクーラ（放熱器）２４、電子膨張弁２７やキャピラリチューブ２８などの膨張機構、冷却器（蒸発器）２９およびこれらを接続する冷媒管路３２で構成される冷凍サイクルから成る冷却装置２０（詳細は図２を参照）が設けられている。冷却器２９は、冷却器ファン３４およびこれを駆動する駆動モータ３４ａ（冷却器ファン３４および駆動モータ３４ａで空気吸引手段を構成する）とともに、商品収納庫４庫内に設けているシュート１１の下方に配設されており、冷却器２９を通流する冷媒が蒸発するときに発生する蒸発潜熱（気化熱）との熱交換により、冷却器ファン３４の回転により吸引された空気が冷却器２９のフィン間を通過すると冷却されて冷気となる。
この冷却器２９の空気取り込み側（図中、冷却器２９の左側）には冷却器２９を除霜するときに加熱するための除霜用ヒーター１８を冷却器２９と所定寸法離した位置に配設してあり、冷却器２９で冷却された冷気の排出側（図中、冷却器ファン３４が設けられている冷却器２９の右側）には冷気の商品コラム６側への通路となる冷気ダクト１５が配設され、冷気ダクト１５にはダクトの開口を開閉制御する開口開閉シャッタ（開口開閉手段）１６を設けている。そして、開口開閉シャッタ１６の商品コラム６側開口のみを開いて冷凍装置２０を駆動して冷却器ファン３４を回転させると、冷却器ファン３４の回転により吸引された空気が冷却器２９のフィン間を通過して熱交換されて冷却された冷気となり、この冷気が冷却器ファン３４で強制的に冷気ダクト１５から商品コラム６側へと送り出され、商品コラム６に収容されている冷凍商品を冷却した空気（冷気）はシュート１１に設けている通風穴（図示せず）を通って冷却器２９へと商品収容庫４庫内を循環することによって冷却され、冷凍商品を保存温度（−１８℃以下）に冷やすことができる。
【００１３】
さらに、販売機本体２の底部（商品収容庫４の下方）の機械室１４には、ガスクーラ２４、その後方に放熱ファン３３、その駆動モータ３３ａおよび圧縮機２１が順に配設されている。そして圧縮機２１で圧縮された高温高圧の冷媒は、ガスクーラ２４を通流すると、放熱ファン３３の回転により取り込まれた外気と、ガスクーラ２４のフィン間を通るときに熱交換して低温高圧になる。また、冷媒と熱交換して高温となった空気（排熱）は、放熱ファン３３により自動販売機５０後方に向かって強制的に送られて外部に排出される。
図２は、自動販売機１に設けている冷却装置２０の回路図である。この回路図を用いて冷却装置２０を詳細に説明する。冷却装置２０は、圧縮機２１、中間熱交換器２２、蒸発パイプ２３、ガスクーラ２４、内部熱交換器２５、ストレーナ２６、電子膨張弁２７、キャピラリチューブ２８、冷却器２９、逆止弁３０、ストレーナ３１、およびこれらを接続する冷媒管路３２、放熱ファン３３、駆動モータ３３ａ、冷却器ファン３４、駆動モータ３４ａにより構成され、冷媒としては、不燃性、安全性、不腐食性を有し、更にオゾン層を破壊することがない地球環境に対する影響の少ない二酸化炭素を用いて冷却を行う。
圧縮機２１は、内部熱交換器２５からの冷媒を圧縮して高温高圧の状態にするものである。この圧縮機２１は、冷媒を２回に分けて圧縮する２段式圧縮機であり、１回目の冷媒圧縮を行う一段目圧縮機２１ａと、２回目の冷媒圧縮を行う二段目圧縮機２１ｂとを有し、これらの間に中間熱交換器２２を備えている。中間熱交換器２２は、一段目圧縮機２１ａによる１回目の冷媒圧縮により圧縮された冷媒を冷却、すなわち放熱させて該冷媒を二段目圧縮機２１ｂに送るものである。このように、冷媒を２回に分けて圧縮を行う２段式圧縮機の一段目圧縮機２１ａと二段目圧縮機２１ｂとの間に冷媒を冷却する中間熱交換器２２を備えて冷媒圧縮を行うと、二段目圧縮機２１ｂの負荷を低減して効率の向上を図ることができるので、消費電力を低減して冷媒を所望の高温高圧の状態に圧縮することが可能になる。この圧縮機２１としては、レシプロ圧縮機、ロータリー圧縮機、スクロール圧縮機などが適宜適用される。
【００１４】
ガスクーラ２４は、圧縮機２１から吐出された冷媒をその周囲温度に近い温度まで冷却（放熱）させるものであり、駆動モータ３３ａが駆動されて放熱ファン３３が回転すると機外から取り込まれた外気によりガスクーラ２４は中間熱交換器２２とともに放熱される。
内部熱交換器２５は、ガスクーラ２４から供給された周囲温度に近い温度の冷媒と、冷却器２９から環流する低温低圧の冷媒とを熱交換させるものであり、その内部には、ガスクーラ２４で放熱させた冷媒が通流する管路と冷却器２９で蒸発させた冷媒が通流する管路とが、互いに熱交換可能な態様で配設してある。
電子膨張弁２７およびキャピラリチューブ２８は、内部熱交換器２５で熱交換させた冷媒を断熱膨張させ、該冷媒を減圧して低温低圧の状態に調整するもので、電子膨張弁２７は弁開閉量を可変制御することができる。
冷却器２９は、電子膨張弁２７およびキャピラリチューブ２８で低温低圧の状態に断熱膨張させた冷媒を蒸発させるものであり、商品収容庫４庫内に冷熱源として配設してあり、内部熱交換器２５を介して一段目圧縮機２１ａに接続してある。
このように冷却装置２０は、低温低圧のガス冷媒を圧縮して高温高圧のガス冷媒とする圧縮機２１、高温高圧のガス冷媒を外気と熱交換させて放熱させるガスクーラ２４、圧縮機２１およびガスクーラ２４が配設されている機械室１４に外気を取り込んで放熱する放熱ファン３３、ガスクーラ２４で放熱させた低温高圧の冷媒を膨張させて低温低圧の冷媒とする電子膨張弁２７やキャピラリチューブ２８などの膨張機構、冷媒を蒸発させたときに発生する蒸発潜熱（気化熱）で商品収容庫４庫内の空気を冷却する冷却器２９、およびこれらを接続して冷媒が循環する冷媒管路３２などで構成され、冷媒管路３２には圧縮機２１を潤滑するオイル（潤滑油）が冷媒とともに循環している。
【００１５】
そして、冷却器２９の除霜時には、開口開閉シャッタ１６の商品コラム６側開口を閉じるとともに側面側開口を開き、除霜用ヒーター１８で冷却器２９を加熱して霜を全体的に融解しつつ、冷却装置２０を運転すると、図３に示すように、冷却器２９を通過した空気は開口開閉シャッタ１６で冷気ダクト１５を介してのシュータ１１上方つまり商品コラム６側への通過が遮られ、シュート１１の下方で循環（図中、矢印で示す）して除霜用ヒータ１８で温められるので、冷却器２９の冷媒蒸発温度が高くなり、冷却器２９から流出する冷媒温度が高くなる。この温度が高くなった冷媒が冷媒管路３２内を通流することにより冷媒のオイル溶け込み量が増大し、内部熱交換器２５や冷却器２９などに残ったオイルが圧縮機２１に戻り、冷却効率を低下させずに冷却運転が可能となる。また、温度が高くなった空気が商品コラム６側へ移動することを開口開閉シャッタ１６で留めることにより、冷凍商品の温度上昇を回避することができる。冷却器２９の除霜時以外は、開口開閉シャッタ１６の開口は商品コラム６側のみを開いておくが、冷却器２９の除霜に対応させて自動で開口開閉シャッタ１６を開閉制御するようにしている。
図４を用いて、圧縮機２１から吐出した高温高圧の冷媒とオイルとを分離し、この分離したオイルを圧縮機２１に戻すオイルセパレータ（油分離装置）の有無とＣＯＰ（成績係数）との関係の試験結果を示す。例えば、周囲温度３２℃で冷媒蒸発温度−３０℃の場合、圧縮機２１の二段目圧縮機２１ｂ冷媒吐出側（高圧側）冷媒圧力は８．５ＭＰａ程度となるが、冷凍装置６０（オイルセパレータ６１をつけた場合）ではＣＯＰ＝０．７、冷凍装置２０（オイルセパレータ無し）ではＣＯＰ＝０．８５となり、オイルセパレータを用いなくすることにより２０％以上の冷却効率向上が認められる。このように、オイルセパレータを用いなくともオイルを圧縮機２１に良好に戻し、冷却効率を向上させ、また除霜効率の向上を図り、消費電力量の低減を図ることが可能な自動販売機を提供することができる。
（実施の形態２）
つぎに、本発明の実施の形態２に係る自動販売機４０について図５を参照して説明する。なお、実施の形態１と同一構成に関しては同一符号を用いる。実施の形態１では、冷却器２９の空気取り入れ側（図中、冷却器２９の左側）に除霜用ヒーター１８を冷却器２９と所定寸法離した位置に配設しているが、この実施の形態２では、除霜用ヒーター１８を冷却器２９に配設するようにしている。この実施の形態２においても、冷却器２９の除霜時には、開口開閉シャッタ１６の商品コラム６側開口を閉じるとともに側面側開口を開き、除霜用ヒーター１８で冷却器２９を直接加熱して霜を融解しつつ、冷凍装置２０を運転すると、冷却器２９を通過した空気は開口開閉シャッタ１６で冷気ダクト１５を介してのシュータ１１上方つまり商品コラム６側への通過が遮られ、シュート１１の下方で循環（図中、矢印で示す）して除霜用ヒータ１８で温められるので、冷却器２９の冷媒蒸発温度が高くなり、冷却器２９から流出する冷媒温度が高くなる。この温度が高くなった冷媒が冷媒管路３２内を通流することにより冷媒のオイル溶け込み量が増大し、内部熱交換器２５や冷却器２９などに残ったオイルが圧縮機２１に戻り、冷却効率を低下させずに冷却運転が可能となる。
【図面の簡単な説明】
【００１６】
【図１】本発明に係る自動販売機の実施の形態を示す断面側面図である。
【図２】図１に示した自動販売機の冷却装置の回路図である。
【図３】図１に示した自動販売機の除霜時を示す断面側面図である。
【図４】図１に示した自動販売機のＣＯＰの試験結果を示す図である。
【図５】本発明に係る自動販売機の実施の形態２を示す断面側面図である。
【図６】従来の自動販売機を示す断面側面図である。
【図７】図６に示した自動販売機の冷却装置の回路図である。
【符号の説明】
【００１７】
１    自動販売機
４    商品収容庫
６    商品コラム
１１    シュート
１４    機械室
１５    冷気ダクト
１６    開口開閉シャッタ（開口開閉手段）
１８    除霜用ヒーター
２０    冷却装置
２１    圧縮機
２１ａ    一段目圧縮機
２１ｂ    二段目圧縮機
２４    ガスクーラ（放熱器）
２５    内部熱交換器
２７    電子膨張弁
２９    冷却器
３２    冷媒管路
３３    放熱ファン
３４    冷却器ファン
【図１】
2009300036.tif 000003
【図２】
2009300036.tif 000004
【図３】
2009300036.tif 000005
【図４】
2009300036.tif 000006
【図５】
2009300036.tif 000007
【図６】
2009300036.tif 000008
【図７】
2009300036.tif 000009